(57)【要約】【課題】  テレビ画面、特にアナログテレビ受像機に対しても２次元バーコードを高い認識率で表示させることができるようにした２次元バーコードの作成方法の提供。【解決手段】  以下の処理１、処理２、処理３、処理４を施している。  処理１：２次元バーコードの誤り訂正符号レベルを３０％にする。  処理２：２次元バーコードをベクトルイメージで作成する。  処理３：マージンを８セル以上にする。  処理４：２次元バーコードの背景色をＲＧＢ(１９５，１９５，１９５)にする。【選択図】  図１
2006190028.tif 000002
【特許請求の範囲】
【請求項１】
テレビ画面上に表示させる２次元バーコードの作成方法であって、以下の処理１、処理２、処理３、処理４を施すことを特徴とする２次元バーコードの作成方法。
処理１：２次元バーコードの誤り訂正符号レベルを３０％にする。
処理２：２次元バーコードをベクトルイメージで作成する。
処理３：マージンを８セル以上にする。
処理４：２次元バーコードの背景色をＲＧＢ(１９５，１９５，１９５)にする。
【発明の詳細な説明】
【技術分野】
【０００１】
本発明は、テレビ画面に２次元バーコード（例えば、ＱＲコード：商標）を表示させた場合に、この２次元バーコードを高い認識率で表示できるようにした２次元バーコードの作成方法に関する。
【背景技術】
【０００２】
従来、２次元バーコードを印刷物を中心とした紙メディアに表示させ、この２次元バーコードを携帯電話のカメラ機能により読み取ることで携帯ホームページのＵＲＬを取得し、その携帯ホームページから情報を得ることができるようにした情報通信システムが一般に知られている。
このように、２次元バーコードを利用することで、携帯電話にＵＲＬを入力する手間を省略でき、携帯ホームページへのアクセス利便性の向上効果は非常に大きいものとなる。
【０００３】
このような２次元バーコードの利用を拡大する方策として、近年、テレビメディアに着目し、２次元バーコードの表示対象をテレビ画面として、このテレビ画面に２次元バーコードを表示させるようにした情報通信システムが提案されている（特許文献１参照）。
【０００４】
しかしながら、テレビ画面に２次元バーコードを表示させる場合、特に表示対象がアナログテレビ受像機である場合、その認識率が低いため実用化に至っていないという問題がある。
【０００５】
即ち、現状のアナログテレビ受像機（ブラウン管受像機）においては、５２５本の走査線で１秒間に２９.９７フレームを表示させている構造のため、走査線間はジャギー状に乱れて表示される。
このことは、小さな点の集合体によって表現されている２次元バーコードにとって、認識率を著しく低下させている原因となっている。
また携帯電話による２次元バーコードの読み込みに際しては、付属するＣＣＤカメラによる静止画像を基にして解析しており、静止画像を抽出するサンプリングスピードによっては、その走査線が影となって映り込み、その影が２次元バーコードの一部を覆うことにより、認識の妨げとなっている。
【特許文献１】特開２００４−１９２１４９号公報
【発明の開示】
【発明が解決しようとする課題】
【０００６】
本発明は、上記の問題を解決するためになされたもので、テレビ画面、特にアナログテレビ受像機に対しても２次元バーコードを高い認識率で表示させることができるようにした２次元バーコードの作成方法を提供することを課題としている。
【課題を解決するための手段】
【０００７】
上記の課題を解決するために、本発明のテレビ画面上に表示させる２次元バーコードの作成方法は、以下の処理１、処理２、処理３、処理４を施す構成とした。
処理１：２次元バーコードの誤り訂正符号レベルを３０％にする。
処理２：２次元バーコードをベクトルイメージで作成する。
処理３：マージンを８セル以上にする。
処理４：２次元バーコードの背景色をＲＧＢ(１９５，１９５，１９５)にする。
【発明の効果】
【０００８】
本発明では、２次元バーコードの誤り訂正符号を利用し、規格最大のレベルＨ（３０％）で作成することにより、アナログテレビ受像機における画像の乱れ・滲み等によるデータの欠損を補完する。
作成した２次元バーコードを、加工段階における乱れを最小限とするために加工に強いベクトルイメージで作成する。
画面上の色滲みに対し、外側とのマージン域を８セルに拡張する。
さらに２次元バーコードの背景色をＲＧＢ(１９５，１９５，１９５)に設定して背景輝度を下げることにより、テレビ時受像機の走査線の映りこみによる誤識率低下を防止する。
これらの処理を併用する作成方法であるため、アナログテレビ受像機においても２次元バーコードを高い認識率で表示させることができる。
【発明を実施するための最良の形態】
【０００９】
図１は本発明の２次元バーコードの作成方法の実施例を示す製作工程説明図である。
以下、図１を参照しながら説明する。
実施例の製作工程は、２次元バーコード作成工程Ａと、２次元バーコード加工工程Ｂと、２次元バーコード差込み工程Ｃを備えている。
【００１０】
２次元バーコード作成工程Ａでは、その作成条件として、以下の条件１、条件２が設定されている。
条件１：誤り訂正符号レベルを規格最大のレベルＨ（３０％）にする。
条件２：セルサイズを１ｍｍ×１ｍｍにする。
【００１１】
携帯電話で利用可能な２次元バーコードは、倉庫管理等のために作られた物流管理バーコードであり、その特性上、コード自体の棄損や汚損等に対応するためのリードソロモン符号による誤り訂正符号が組み込まれている。
このリードソロモン符号とは、データの誤りを検出・訂正できる誤り訂正符号の一つで、連続して発生する誤り（バースト誤り）を訂正することが可能な数学的な誤り訂正の方法で、高度な訂正能力を持っている。
リードソロモン符号は、ＣＤやハードディスク、ＤＡＴ、ＤＶＤなどの記憶装置やＡＤＳＬや宇宙通信などの通信分野などで用いられている。
【００１２】
２次元バーコードの誤り訂正符号レベルには、レベルＬ（７％）、レベルＭ（１５％）、レベルＱ（２５％）、レベルＨ（３０％）の４段階があり、印刷物(雑誌や広告・名刺等)を表示対象とした場合には、大きな棄損を考慮する必要がないため一般的に７％（誤り訂正レベルＬ）もしくは１５％(誤り訂正レベルＭ)に対応する誤り訂正符号を付加することが多い。
【００１３】
これは誤り訂正符号レベルを上げると、データ量・処理量が格段に増え、バーコード自体も非常に緻密になり、認識可能なセルサイズにした場合は、非常に多くのスペースを必要とするためである。
しかしながら、この誤り訂正符号を上げるだけでは、アナログテレビ受像機における２次元バーコードの認識率は１０〜１５％しか増加せず、複合的には他の対策がなければ困難である。
【００１４】
セルサイズに関しては、テレビ画面の滲み等に対応するためには、出来る限り大きいほうが良いが、大きすぎると読み込み時に、２次元バーコードが大きくなりすぎ、離れた位置からの読み込みとなるため、周囲の明かり等の影響を受けやすくなるため、１．０ｍｍ×１．０ｍｍを基準とした。
【００１５】
そして、作成時の出力に関し、ベクトルイメージにて出力を行なうものである。
ベクトルイメージは、接点とそれを結ぶ線形の定義のみのイメージ形式で、一般的に利用にされているビットマップイメージのように、点の集合体においてイメージを定義している画像より、加工における画像の変化が少ない特性を持っており、以降の加工段階において、画像が劣化していくことを最小限に防ぐことが出来る。
【００１６】
この２次元バーコード作成工程Ａで製作した２次元バーコードのセル数が５０セル×５０セル以上になった場合には、２次元バーコードを分割し、最大の２次元バーコードのサイズを５０ｍｍ×５０ｍｍとする。
このことは、先にセルサイズの条件の項で述べた理由と同じであるが、２次元バーコード自体のサイズを一定化させるためである。
【００１７】
次に、２次元バーコード加工工程Ｂを説明する。
先ず、テレビ放映時のデザイン性と読み込み距離を揃えるため、２次元バーコードサイズを５０ｍｍ×５０ｍｍに設定してサイズを揃える。
２次元バーコードのサイズは、歪みや滲みに対応するためには大きいほうが好ましいが、携帯電話で読み込みを行う場合には、テレビ受像機との距離を多くとる必要があるし、周囲の光などの影響も受けやすくなる。
また、走査線の影が帯状に発生する場合には、その影が２次元バーコードを覆う可能性も大きくなり、認識率を低下させる原因となる。
この点を考慮した実証実験の結果、５０ｍｍ正方が最良の結果となった。
【００１８】
次に、背景として、枠内の色をＲＧＢ(１９５，１９５，１９５)とし、サイズは下記の式１を用いて出力された値の正方形の枠を作成する。
そして、このようにして作成した枠の中央に２次元バーコードを黒色で配置して合成を行う。
【００１９】
＜式１：背景のサイズ＞
（５０セル÷２次元バーコードのセル数×６６ｍｍ）  の正方形
通常、背景は２次元バーコードから４セル分のマージン（余白）を設定しているが、アナログテレビ受像機においては周囲の色が滲み出てマージンが狭くなる。そこで、読取不良となることを防止するため、本発明ではマージンを８セルを標準に設定した。
【００２０】
背景色をＲＧＢ(１９５，１９５，１９５)としたのは、近年の携帯電話のカメラ機能が充実してきており、固定絞りながらサンプリングスピードを変更することにより、明るさ調整する機能が増えてきている。
そこで、２次元バーコードの下地色の色をＲＧＢ(１９５，１９５，１９５)にすることにより、「バーコードの下地は白」で暗い中で撮影されたと錯覚させ、カメラのサンプリングスピードを１／３０秒以下に誘導することにより、走査線の影が帯状に映りこむのを最大限避けるようにした。
【００２１】
以上の２点の素材を合成し、動画にインサート可能なイメージ形式にて出力することにより、２次元バーコードテロップを作成する。
【００２２】
２次元バーコードの差込工程Ｃでは、生成された２次元バーコードテロップを、パソコン等による編集用ソフト(例えば、イラストレーター：商標)を使用し、包装用ＶＴＲに差し込む。
差し込みサイズは２０インチ程度のテレビで概ね５ｃｍ×５ｃｍになるよう、編集用パソコンソフトが持つ拡大・縮小機能を使用して調整し、画面に２ヶ所以上配置、例えば上下２ヶ所に表示させるようにしている。
【図面の簡単な説明】
【００２３】
【図１】本発明の２次元バーコードの作成方法の実施例を示す製作工程説明図である。
【符号の説明】
【００２４】
Ａ  ２次元バーコード作成工程
Ｂ  ２次元バーコード加工工程
Ｃ  ２次元バーコード差込み工程
【図１】
2006190028.tif 000003